(57)【特許請求の範囲】
【請求項１】
天板を有する天板付き家具と、床面に起立して前記床面から所定の高さの位置に棚板を支持するとともに、前記天板付き家具を出没可能に収容する収容空間を前記棚板の下方に形成する棚脚部を有する棚装置と、を組み合わせた組み合わせ家具であって、
前記棚装置は、
前記棚装置の幅方向に所定の間隔をあけて離間するように配置され、前記棚脚部を構成する一対の側板と、
前記棚装置の奥行き方向の奥側における上部に配置され、前記一対の側板の間に挟まれるように固定されて前記棚板の奥行き方向の奥側端面に接触する上方後面板と、
前記棚装置の奥行き方向の奥側における前記上方後面板よりも下部に配置され、前記一対の側板の間に挟まれるように固定されて前記収容空間の後面をなす下方後面板と、
を備え、
前記天板付き家具は、
前記収容空間の上端に比べて低い位置に前記天板を支持する天板脚部と、
前記天板のうちの前記収容空間内の部分である非使用部分の位置から、前記天板の上面に比べて高く且つ前記収容空間の上端に比べて低い位置まで延在するとともに、前記天板脚部の奥端部よりも前記天板付き家具の奥行き方向の手前側に配置され、前記天板の上面に載置された物品の前記非使用部分側からの落下を防止する落下防止壁と、
を備え、
前記上方後面板の下端は、前記天板付き家具が前記収容空間に収容されて前記天板脚部の奥端部が前記下方後面板と接触する状態において、前記落下防止壁の上端に比べて高い位置にあることを特徴とする組み合わせ家具。
【請求項２】
前記落下防止壁は、前記天板の奥行き方向における前記非使用部分の奥端部に配置され、前記天板脚部に固定されることを特徴とする請求項１に記載の組み合わせ家具。
【請求項３】
前記天板脚部は、前記天板の幅方向の両端部を支持する一対の脚板からなり、
前記落下防止壁は、前記天板に比べて下方側に延在する壁下部を有し、前記一対の脚板同士の対向面間に前記壁下部を嵌合することを特徴とする請求項１または２に記載の組み合わせ家具。
【請求項４】
前記落下防止壁は、前記壁下部の上方側に連続し、前記天板の上面に比べて高く且つ前記収容空間の上端に比べて低い位置まで延在する壁上部を有し、
前記壁上部は、前記天板の幅方向の全域に亘り前記壁下部に比べて幅広に形成され、前記一対の脚板の上面に接することを特徴とする請求項３に記載の組み合わせ家具。
【請求項５】
前記壁上部は、前記非使用部分の奥端部に接することを特徴とする請求項４に記載の組み合わせ家具。
【請求項６】
前記天板付き家具の前記棚装置に対する相対的な移動範囲を、前記落下防止壁が前記収容空間から出ない範囲に規制する規制手段を備えたことを特徴とする請求項１〜５のいずれか一つに記載の組み合わせ家具。
【発明の詳細な説明】
【技術分野】
【０００１】
本発明は、天板付き家具と棚装置とを組み合わせた組み合わせ家具に関する。
【背景技術】
【０００２】
従来から、デスク等の天板付き家具とキャビネット等の棚装置とを組み合わせて構成される組み合わせ家具が公知である（例えば、特許文献１〜３参照）。以下、組み合わせ家具は、天板付き家具と棚装置とを組み合わせた家具を意味する。
【０００３】
一般に、組み合わせ家具において、天板付き家具は、棚装置が形成する収容空間内に収容可能な寸法のものであり、棚装置の奥行き方向に移動して出没できるように棚装置に取り付けられている。また、組み合わせ家具には、例えば特許文献１〜３に開示されるように、棚装置から天板付き家具が抜け出ることを防止するためのストッパ手段が設けられている。これにより、組み合わせ家具は、棚装置から天板付き家具を脱離させないように、天板付き家具の引き出し動作を制限する。
【０００４】
使用者は、上述したような組み合わせ家具の机機能を使用する場合、棚装置の収容空間内（以下、棚装置内と適宜略す）から天板付き家具を引き出す。この際、天板付き家具は、棚装置から脱離することなく、使用者の手前に引き出される。使用者は、この引き出した天板付き家具を机として使用する。一方、使用者は、組み合わせ家具の机機能を使用しない場合、棚装置から突出した状態の天板付き家具を、棚装置内に押し入れて収容する。このように棚装置に対して天板付き家具を適宜出没可能な組み合わせ家具は、リビングルーム、書斎、または学習室等の室内に設置され、室内における占有スペースを小さくすることに有効である。
【先行技術文献】
【特許文献】
【０００５】
【特許文献１】実開平１−１１２７２９号公報
【特許文献２】実用新案登録第３０４８０５６号公報
【特許文献３】特開平９−２２４７５４号公報
【発明の概要】
【発明が解決しようとする課題】
【０００６】
ところで、上述した組み合わせ家具の使用において、棚装置内から引き出された天板付き家具の天板上には、通常、文房具または書物等の物品が載置される。このような天板上の物品は、天板付き家具が棚装置内に収容される前に、天板上から取り除かれて棚装置の収容棚または引き出し内等に収容されることが望ましい。
【０００７】
しかしながら、実際には、天板上に物品を載置したままにして、天板付き家具を棚装置内に収容してしまう場合が多い。この場合、天板上の物品は、棚装置内への天板付き家具の移動に伴い、天板上面に沿って移動し、ついには、天板上から天板付き家具の奥側（具体的には棚装置における天板付き家具の収容空間側）に物品が落下するという問題が生じる。この問題は、天板上に物品を載置した状態の天板付き家具を棚装置内から引き出す場合にも起こり得る。上述した従来の組み合わせ家具では、このような天板上からの物品落下という問題を解決することが困難である。
【０００８】
一方、上述した問題の解決策として、天板付き家具の天板上面と、棚装置内において天板上面に対向する板面（例えば棚板の下面）との間隔を、天板上の物品の高さに比べて小さくし、これにより、天板上面と棚装置内の板面との間隙に天板上の物品が入り込まないようにすることが考えられる。しかしながら、この解決策では、棚装置に対して天板付き家具を出没させる際、天板上面と棚装置内の板面とを擦り合わせる事態が生じてしまう。これに起因し、天板上面と棚装置内の板面との摩擦音が発生して使用者に不快感を与えるのみならず、天板上面および棚装置内の板面の各々を摩擦によって傷つける虞がある。
【０００９】
本発明は、上記に鑑みてなされたものであって、棚装置に対して出没する天板付き家具の天板と棚装置とを擦り合わせることなく、天板上の物品の落下を防止することができる組み合わせ家具を提供することを目的とする。
【課題を解決するための手段】
【００１０】
上述した課題を解決し、目的を達成するために、本発明にかかる組み合わせ家具は、天板を有する天板付き家具と、床面に起立して前記床面から所定の高さの位置に棚板を支持するとともに、前記天板付き家具を出没可能に収容する収容空間を前記棚板の下方に形成する棚脚部を有する棚装置と、を組み合わせた組み合わせ家具であって、前記天板付き家具は、前記収容空間の上端に比べて低い位置に前記天板を支持する天板脚部と、前記天板のうちの前記収容空間内の部分である非使用部分の位置から、前記天板の上面に比べて高く且つ前記収容空間の上端に比べて低い位置まで延在し、前記天板の上面に載置された物品の前記非使用部分側からの落下を防止する落下防止壁と、を備えたことを特徴とする。
【００１１】
また、本発明にかかる組み合わせ家具は、上記の発明において、前記落下防止壁は、前記天板の奥行き方向における前記非使用部分の奥端部に配置され、前記天板脚部に固定されることを特徴とする。
【００１２】
また、本発明にかかる組み合わせ家具は、上記の発明において、前記天板脚部は、前記天板の幅方向の両端部を支持する一対の脚板からなり、前記落下防止壁は、前記天板に比べて下方側に延在する壁下部を有し、前記一対の脚板同士の対向面間に前記壁下部を嵌合することを特徴とする。
【００１３】
また、本発明にかかる組み合わせ家具は、上記の発明において、前記落下防止壁は、前記壁下部の上方側に連続し、前記天板の上面に比べて高く且つ前記収容空間の上端に比べて低い位置まで延在する壁上部を有し、前記壁上部は、前記天板の幅方向の全域に亘り前記壁下部に比べて幅広に形成され、前記一対の脚板の上面に接することを特徴とする。
【００１４】
また、本発明にかかる組み合わせ家具は、上記の発明において、前記壁上部は、前記非使用部分の奥端部に接することを特徴とする。
【００１５】
また、本発明にかかる組み合わせ家具は、上記の発明において、前記天板付き家具の前記棚装置に対する相対的な移動範囲を、前記落下防止壁が前記収容空間から出ない範囲に規制する規制手段を備えたことを特徴とする。
【発明の効果】
【００１６】
本発明によれば、棚装置に対して出没する天板付き家具の天板と棚装置とを擦り合わせることなく、天板上の物品の落下を防止することができるという効果を奏する。
【図面の簡単な説明】
【００１７】
【図１】図１は、本発明の実施の形態にかかる組み合わせ家具の一構成例を示す斜視図である。
【図２】図２は、本発明の実施の形態にかかる組み合わせ家具の一構成例を示す正面図である。
【図３】図３は、本発明の実施の形態にかかる組み合わせ家具の一構成例を示す側面図である。
【図４】図４は、本発明の実施の形態にかかる組み合わせ家具の棚装置内から天板付き家具を引き出した状態を示す図である。
【図５】図５は、本発明の実施の形態にかかる組み合わせ家具の天板付き家具の一構成例を示す斜視図である。
【図６】図６は、本発明の実施の形態にかかる組み合わせ家具の棚装置の一構成例を示す斜視図である。
【図７】図７は、天板付き家具に落下防止壁が設けられた状態を示す図である。
【図８】図８は、天板付き家具に落下防止壁を取り付ける状態を示す図である。
【図９】図９は、天板付き家具の天板および棚装置の棚板に対する落下防止壁の高さの比較を示す図である。
【発明を実施するための形態】
【００１８】
以下に、添付図面を参照して、本発明にかかる組み合わせ家具の好適な実施の形態について詳細に説明する。なお、本実施の形態により、本発明が限定されるものではない。また、図面は模式的なものであり、各要素の寸法の関係、各要素の比率等は、現実のものとは異なる場合があることに留意する必要がある。図面の相互間においても、互いの寸法の関係や比率が異なる部分が含まれている場合がある。また、各図面において、同一構成部分には同一符号が付されている。
【００１９】
（組み合わせ家具の構成）
まず、本発明の実施の形態にかかる組み合わせ家具の構成について説明する。図１は、本発明の実施の形態にかかる組み合わせ家具の一構成例を示す斜視図である。図２は、本発明の実施の形態にかかる組み合わせ家具の一構成例を示す正面図である。図３は、本発明の実施の形態にかかる組み合わせ家具の一構成例を示す側面図である。図４は、本発明の実施の形態にかかる組み合わせ家具の棚装置内から天板付き家具を引き出した状態を示す図である。図５は、本発明の実施の形態にかかる組み合わせ家具の天板付き家具の一構成例を示す斜視図である。図６は、本発明の実施の形態にかかる組み合わせ家具の棚装置の一構成例を示す斜視図である。
【００２０】
図１〜６に示すように、本発明の実施の形態にかかる組み合わせ家具１は、自立式の机等として使用可能な天板付き家具２と、書籍等の物品を収容する収容棚等として使用可能な自立式の棚装置３とを備える。組み合わせ家具１は、棚装置３内に天板付き家具２を出没可能に収容できるように、天板付き家具２と棚装置３とを組み合わせて構成される。
【００２１】
天板付き家具２は、図１〜４に示すように棚装置３から出没可能な机状構造体である。本実施の形態において、天板付き家具２は、図５に示すように、天板１０と、天板１０等を支持して自立する天板脚部１１と、天板１０上からの物品落下を防止する落下防止壁１２と、棚装置３内からの天板付き家具２の出没を案内するガイド部１３，１４と、物品を収容可能な引き出し１６とを備える。
【００２２】
天板１０は、机の天板等のように、使用者が天板付き家具２を学習等の用途に使用する際、この用途に応じた作業に用いられる平板部材である。天板１０の上面（天板上面１０ａ）には、天板付き家具２の用途に応じた物品が必要に応じて載置される。なお、天板上面１０ａに載置される物品として、例えば、書籍、文房具、パーソナルコンピュータ（パソコン）、タブレット端末や電子計算機等の情報機器等が挙げられる。
【００２３】
天板脚部１１は、天板付き家具２が床面に自立するための脚部として機能するものであり、図５に示すように、天板１０等を支持する一対の脚板１１ａ，１１ｂによって構成される。脚板１１ａ，１１ｂは、天板付き家具２の幅方向Ｆ１２に所定の間隔をあけて離間するように配置される。これらの脚板１１ａ，１１ｂの各上面には、天板１０の幅方向両端部の各下面が各々固定される。また、これらの脚板１１ａ，１１ｂの各上面のうち、天板付き家具２の奥行き方向Ｆ１１の奥側には、落下防止壁１２が取り付けられる。一方、脚板１１ａ，１１ｂの互いに対向する壁面（すなわち内壁面）の各々には、引き出し１６を支持する支持部材が、脚板１１ａ，１１ｂに挟まれるように固定される。このような脚板１１ａ，１１ｂは、引き出し１６の支持部材を幅方向Ｆ１２から挟んで支持するとともに、天板１０および落下防止壁１２を支持する。このような状態を維持しながら、脚板１１ａ，１１ｂは、図５に示すように、天板付き家具２の起立方向Ｆ１３の上方に天板上面１０ａを向けて自立する。
【００２４】
また、脚板１１ａ，１１ｂの奥行き方向Ｆ１１の奥側には、図５に示すように、ガイド部１３，１４と、切欠き部１５ａ，１５ｂとが設けられる。ガイド部１３，１４は、棚装置３内からの天板付き家具２の出没を案内するものであり、脚板１１ａ，１１ｂに各々着脱可能に取り付けられる。切欠き部１５ａ，１５ｂは、図１〜３に示すように天板付き家具２を棚装置３内に収容する際、棚装置３の支柱３４と天板脚部１１との接触を回避するために、脚板１１ａ，１１ｂに各々形成される。
【００２５】
一方、脚板１１ａ，１１ｂの起立方向Ｆ１３の下端部には、図５に示すように、車輪１７および滑り止め部１８が設けられる。車輪１７は、棚装置３から天板付き家具２を出没する等の際、天板付き家具２の奥行き方向Ｆ１１への移動を円滑に行えるようにするためのものである。このような車輪１７は、脚板１１ａ，１１ｂにおける奥行き方向Ｆ１１の奥側の各下部に、回転自在に軸支される。滑り止め部１８は、床面における脚板１１ａ，１１ｂの摺動を抑止し、これにより、天板付き家具２の意図せぬ移動を防止するものである。このような滑り止め部１８は、脚板１１ａ，１１ｂにおける奥行き方向Ｆ１１の手前側の各下端部に形成される。
【００２６】
引き出し１６は、所望の物品を収容する箱型の収容手段である。引き出し１６は、上述したように脚板１１ａ，１１ｂの各内壁面に固定された支持部材と天板１０との間の空間に、出し入れ可能に配置される。引き出し１６は、天板付き家具２の奥行き方向Ｆ１１の手前側に引き出されて、物品を出し入れ可能な状態となる。また、引き出し１６は、天板付き家具２の奥行き方向Ｆ１１の奥側に押されて、天板付き家具２の空間内に収容される。なお、本実施の形態において、天板付き家具２には、図５に示すように、２つの引き出し１６が配置されているが、天板付き家具２の引き出し１６の配置数は、２つに限定されず、１つでもよいし、３つ以上でもよい。
【００２７】
一方、棚装置３は、物品を出し入れ可能に収容する収容棚としての機能と、図１〜４に示すように天板付き家具２を出没可能に収容する機能とを兼ね備え、床面に自立可能な構造体である。本実施の形態において、棚装置３は、図６に示すように、棚板３０と、棚板３０等を支持して自立する棚脚部３１と、棚装置３の構造を強固にする等のための後面板３２，３３および支柱３４と、天板付き家具２を出没可能に収容する収容空間３５と、天板付き家具２の出没時の移動範囲を規制するガイドレール３６，３７とを備える。また、棚装置３は、図１〜４，６に示すように、棚板３０上に物品収容部３８ａ等の収容棚を形成する複数の仕切部材３９ａ〜３９ｄと、棚板３０上の物品収容部３８ａを開閉可能に遮蔽する遮蔽部材４０と、遮蔽部材４０の開閉時の移動を案内する前側スライドガイド部４７および後側スライドガイド部４８と、照明装置５０とを備える。
【００２８】
棚板３０は、物品を出し入れ可能に収容する収容棚の底板として機能する板部材である。具体的には、図６に示すように、棚板３０は、その幅方向両端部を側板３１ａ，３１ｂに固定され、自立した態様の棚脚部３１によって床面から所定の高さの位置に支持される。この棚板３０上には、図２に示すように、仕切部材３９ａ，３９ｂ等によって物品収容部３８ａおよび開放型物品収容部３８ｂ，３８ｃが形成される。物品収容部３８ａおよび開放型物品収容部３８ｂ，３８ｃは、いずれも物品の収容棚であり、棚板３０は、これらの物品収容部３８ａおよび開放型物品収容部３８ｂ，３８ｃの底面をなす。
【００２９】
棚脚部３１は、棚装置３が床面に自立するための脚部として機能するものであり、図６に示すように、棚板３０等を支持する一対の側板３１ａ，３１ｂによって構成される。側板３１ａ，３１ｂは、棚板３０および後面板３２，３３の幅方向両端部に各々固定される。また、側板３１ａ，３１ｂの下部には、側板３１ａ，３１ｂの互いに対向する壁面（すなわち内壁面）の各々に挟まれるように支柱３４が固定される。このような一対の側板３１ａ，３１ｂからなる棚脚部３１は、棚板３０および後面板３２，３３を支持して床面に起立（自立）するとともに、天板付き家具２の収容空間３５を棚板３０の下方に形成する。この際、棚脚部３１は、床面に起立して、この床面から所定の高さの位置に棚板３０を支持する。また、棚脚部３１は、棚装置３の奥行き方向Ｆ１に天板付き家具２の収容空間３５が開口し、棚装置３の幅方向Ｆ２に物品収容部３８ａおよび開放型物品収容部３８ｂ，３８ｃが並び、棚装置３の起立方向Ｆ３の上方に棚板３０の上面（収容棚の底面）が向くように自立する。
【００３０】
後面板３２は、図６に示すように、側板３１ａ，３１ｂの奥行き方向Ｆ１の奥側端部近傍のうち、各上部の内壁面に固定配置される。後面板３２は、その前面を棚板３０の奥行き方向Ｆ１の奥側端面に接触させて、棚板３０上の物品収容部３８ａおよび開放型物品収容部３８ｂ，３８ｃの後面をなす。なお、後面板３２の前面は、棚装置３の奥行き方向Ｆ１の手前側に向く後面板３２の壁面である。一方、後面板３３は、図３，６に示すように、側板３１ａ，３１ｂの奥行き方向Ｆ１の奥側端部近傍のうち、棚板３０よりも下方の各部分の内壁面に固定配置される。後面板３３は、棚板３０の下方に形成される収容空間３５の後面をなす。
【００３１】
支柱３４は、図３，６に示すように、側板３１ａ，３１ｂの奥行き方向Ｆ１の奥側における各端部内壁面と後面板３３の下端面とに固定される。支柱３４は、上述した後面板３２，３３と協同して、側板３１ａ，３１ｂによる棚脚部３１の起立時の構造を強固に維持する。
【００３２】
収容空間３５は、天板付き家具２を出没可能に収容する空間である。具体的には、図３，６に示すように、天板付き家具２の収容空間３５は、棚装置３が床面に起立した際、この床面と棚板３０の下端面との間に形成される。すなわち、収容空間３５は、棚板３０と側板３１ａ，３１ｂと後面板３３とによって囲まれ且つ床面に連続して、棚装置３の奥行き方向Ｆ１の手前側に開口する。このような収容空間３５には、床面に沿って棚装置３の奥行き方向Ｆ１に移動する天板付き家具２が、図１〜４に示すように、出没可能に収容される。
【００３３】
ガイドレール３６，３７は、棚装置３の収容空間３５からの天板付き家具２の出没を案内する際に用いられるレールである。具体的には、図２，６に示すように、ガイドレール３６は、棚装置３の収容空間３５からの天板付き家具２の出没方向（図４参照）に長手となるよう、側板３１ａの内壁面に凹状に形成される。ガイドレール３６は、天板付き家具２の脚板１１ａに取り付けられたガイド部１３（図５参照）の突起部分を受け入れる。一方、ガイドレール３７は、上述したガイドレール３６と同様に天板付き家具２の出没方向に長手となるよう、側板３１ｂの内壁面に凹状に形成される。ガイドレール３７は、図２，６に示すように、天板付き家具２の脚板１１ｂに取り付けられたガイド部１４の突起部分を受け入れる。
【００３４】
上述したようなガイドレール３６，３７は、棚装置３の収容空間３５からの天板付き家具２の出没に伴って棚装置３に対し相対的に移動するガイド部１３，１４の移動方向および移動範囲を規制する規制手段として機能する。具体的には、ガイドレール３６，３７は、この天板付き家具２の出没に伴うガイド部１３，１４の移動方向を、この天板付き家具２の出没方向に規制する。また、ガイドレール３６，３７は、この天板付き家具２の出没に伴うガイド部１３，１４の移動範囲を、天板付き家具２が棚装置３から脱離しない（抜け出ない）範囲に規制する。これにより、ガイドレール３６，３７は、天板付き家具２の出没時の棚装置３に対する相対的な移動範囲を、図３，４に示すように天板付き家具２の落下防止壁１２が棚装置３における収容空間３５から出ない範囲に規制する。
【００３５】
物品収容部３８ａおよび開放型物品収容部３８ｂ，３８ｃは、物品を出し入れ可能に収容する収容棚として機能するものであり、棚装置３の棚板３０上に形成される。具体的には、図２，６に示すように、物品収容部３８ａは、遮蔽部材４０によって開閉可能に遮蔽される開閉型の収容棚である。物品収容部３８ａは、遮蔽部材４０による遮蔽が解除された場合、棚装置３の奥行き方向Ｆ１の手前側および起立方向Ｆ３の上側を開放した開状態となって、物品を出し入れ可能になる。一方、物品収容部３８ａは、遮蔽部材４０によって遮蔽された場合、棚装置３の奥行き方向Ｆ１の手前側および起立方向Ｆ３の上方側を覆われた閉状態となって、物品を遮蔽空間内に収容可能になる。
【００３６】
開放型物品収容部３８ｂ，３８ｃは、図２，６に示すように、通常、棚装置３の奥行き方向Ｆ１の手前側および上方側（起立方向Ｆ３の上側）を開放した状態の収容棚である。開放型物品収容部３８ｂ，３８ｃは、上述した物品収容部３８ａの遮蔽の解除に伴い遮蔽部材４０によって遮蔽されない限り、この開放状態を維持して、物品を出し入れ可能に収容する。この際、開放型物品収容部３８ｂ，３８ｃは、遮蔽部材４０よりも高さが低い物品は勿論、遮蔽部材４０よりも高い背高な物品（例えば辞典に例示される大型な書籍等）を収容可能である。
【００３７】
上述した物品収容部３８ａおよび開放型物品収容部３８ｂ，３８ｃは、図２，６に示すように、棚板３０を底面とし且つ後面板３２を後面として、棚装置３の幅方向Ｆ２に並ぶように形成される。これらの物品収容部３８ａおよび開放型物品収容部３８ｂ，３８ｃは、複数の仕切部材３９ａ，３９ｂによって仕切られる。
【００３８】
仕切部材３９ａ，３９ｂは、図２に示すように、棚装置３の幅方向Ｆ２に所定の間隔をあけて棚板３０上に配置される。仕切部材３９ａ，３９ｂは、上述した開閉型の物品収容部３８ａの幅方向Ｆ２の右側面および左側面を各々形成する。また、仕切部材３９ａ，３９ｂは、物品収容部３８ａを挟んで棚装置３の幅方向Ｆ２に開放型の物品収容部を複数並ぶように形成する。本実施の形態においては、図２に示すように、仕切部材３９ａ，３９ｂは、物品収容部３８ａを挟んで、棚装置３の幅方向Ｆ２の右側端に開放型物品収容部３８ｂを形成し、棚装置３の幅方向Ｆ２の左側端に開放型物品収容部３８ｃを形成する。この際、仕切部材３９ａは、右側端の開放型物品収容部３８ｂの左側面を形成する。仕切部材３９ｂは、左側端の開放型物品収容部３８ｃの右側面を形成する。また、右側端の開放型物品収容部３８ｂの右側面は側板３１ａによって形成され、左側端の開放型物品収容部３８ｃの左側面は側板３１ｂによって形成される。
【００３９】
一方、仕切部材３９ｃ，３９ｄは、上述した開放型物品収容部３８ｂ，３８ｃの各収容空間を更に仕切るものである。具体的には、図２，６に示すように、仕切部材３９ｃは、棚板３０における側板３１ａと仕切部材３９ａとの間の部分に配置される。仕切部材３９ｃは、右側端の開放型物品収容部３８ｂを、更に仕切って複数（本実施の形態では２つ）の物品収容部に細分化する。一方、仕切部材３９ｄは、棚板３０における側板３１ｂと仕切部材３９ｂとの間の部分に配置される。仕切部材３９ｄは、左側端の開放型物品収容部３８ｃを、更に仕切って複数（本実施の形態では２つ）の物品収容部に細分化する。
【００４０】
遮蔽部材４０は、上述した棚板３０上の物品収容部３８ａを開閉可能に遮蔽するものである。具体的には、図２，３，６に示すように、遮蔽部材４０は、棚装置３の奥行き方向Ｆ１の手前側から物品収容部３８ａを遮蔽する遮蔽板、および、棚装置３の起立方向Ｆ３の上側から物品収容部３８ａを遮蔽する遮蔽板等を用いて構成される。遮蔽部材４０は、物品収容部３８ａおよび開放型物品収容部３８ｂ，３８ｃに亘って棚装置３の幅方向Ｆ２に移動（例えば摺動）するように、棚装置３に支持される。詳細には、図３に示すように、遮蔽部材４０の奥行き方向手前側の部分が棚板３０上の前側スライドガイド部４７によって支持され、遮蔽部材４０の奥行き方向奥側の部分が後面板３２の背面の後側スライドガイド部４８によって支持される。遮蔽部材４０は、このように棚装置３によって奥行き方向Ｆ１の手前側および奥側の双方から支持されるとともに、前側スライドガイド部４７および後側スライドガイド部４８によって移動方向および移動範囲を規制される。
【００４１】
ここで、上述した物品収容部３８ａおよび開放型物品収容部３８ｂ，３８ｃは、棚板３０を底面とし且つ後面板３２を後面として、棚装置３の奥行き方向Ｆ１の手前側および起立方向Ｆ３の上側（上方側）が開放された状態に形成される。遮蔽部材４０は、前側スライドガイド部４７および後側スライドガイド部４８に沿って、物品収容部３８ａおよび開放型物品収容部３８ｂ，３８ｃに亘り棚装置３の幅方向Ｆ２に移動する。これにより、遮蔽部材４０は、物品収容部３８ａを開閉可能に遮蔽するとともに、開放型物品収容部３８ｂ，３８ｃの奥行き方向手前側および上方側を開放する。また、遮蔽部材４０は、上述したように前側スライドガイド部４７および後側スライドガイド部４８に沿って移動して、この物品収容部３８ａの遮蔽を解除するとともに、開放型物品収容部３８ｂ，３８ｃのうちのいずれか一方の開閉型収容部の少なくとも一部分を遮蔽する。
【００４２】
一方、遮蔽部材４０には、物品を支持する物品支持部４２が設けられる。具体的には、図６等に示すように、物品支持部４２は、遮蔽部材４０の外壁面のうち、棚装置３の奥行き方向Ｆ１の手前側を向く前側の外壁面の下部に設けられる。物品支持部４２は、この前側の外壁面に載置される物品を支持する。この物品支持部４２を備えた遮蔽部材４０の前側外壁面の部分は、遮蔽板としての機能と、書籍等の物品を受け支える書見台４６としての機能とを兼ね備える。このような書見台４６は、上述した遮蔽部材４０と同様に、前側スライドガイド部４７および後側スライドガイド部４８に沿って棚装置３の幅方向Ｆ２に移動可能である。
【００４３】
前側スライドガイド部４７は、遮蔽部材４０の幅方向の移動（スライド）を案内するスライドガイド部の一つである。具体的には、図６に示すように、前側スライドガイド部４７は、棚装置３の外側から視認できるように、棚板３０の上面に設けられる。前側スライドガイド部４７は、図３に示すように、遮蔽部材４０の奥行き方向手前側の部分を移動可能に支持するとともに、棚装置３の幅方向Ｆ２における遮蔽部材４０の移動を案内する。
【００４４】
後側スライドガイド部４８は、遮蔽部材４０の幅方向の移動（スライド）を案内するスライドガイド部の一つである。具体的には、図３に示すように、後側スライドガイド部４８は、棚装置３の背面側から視認できるように、後面板３２の後面（背面）に設けられる。なお、後面板３２の後面は、棚装置３の奥行き方向Ｆ１の奥側を向く後面板の壁面である。後側スライドガイド部４８は、図３に示すように、遮蔽部材４０の奥行き方向奥側の部分を移動可能に支持するとともに、棚装置３の幅方向Ｆ２における遮蔽部材４０の移動を案内する。
【００４５】
照明装置５０は、所定の機能を有する機能装置の一例である。照明装置５０は、上述した開放型物品収容部３８ｂ，３８ｃのうちの一方、例えば図２，６等に示すように、左端側の開放型物品収容部３８ｃに着脱可能に固定配置される。この際、照明装置５０は、上述した遮蔽部材４０の移動を阻害しないように、棚装置３の幅方向Ｆ２の端部、例えば側板３１ｂの近傍に取り付けられる。照明装置５０は、そのアーム等を操作することにより、照明光源の位置および方向を容易に調整可能である。このような照明装置５０は、棚装置３の部分（棚板３０の上面等）や天板付き家具２の部分（天板１０および引き出し１６内等）、図１，４等に示す組み合わせ家具１の所望の部分を照明することができる。
【００４６】
なお、本実施の形態において、天板付き家具２の奥行き方向Ｆ１１、幅方向Ｆ１２、および起立方向Ｆ１３は、図５に示すように定義される。すなわち、天板付き家具２の奥行き方向Ｆ１１は、机等として天板付き家具２を使用する使用者（図示せず）が椅子に座る等して天板付き家具２に向かう方向である。この奥行き方向Ｆ１１は、天板脚部１１をなす脚板１１ａ，１１ｂ同士の対向方向と、天板１０に直交する方向（天板上面１０ａの法線方向）との双方に対して垂直である。天板付き家具２の幅方向Ｆ１２は、脚板１１ａ，１１ｂ同士の対向方向に対して平行な方向であり、且つ、天板１０に直交する方向に対して垂直な方向である。天板付き家具２の起立方向Ｆ１３は、床面に起立した状態の天板付き家具２の上下方向であり、上述した奥行き方向Ｆ１１および幅方向Ｆ１２に対して垂直である。これらの奥行き方向Ｆ１１、幅方向Ｆ１２、および起立方向Ｆ１３は、天板付き家具２を構成する天板１０等の各構成部についても同様である。
【００４７】
一方、本実施の形態において、棚装置３の奥行き方向Ｆ１、幅方向Ｆ２、および起立方向Ｆ３は、図６に示すように定義される。すなわち、棚装置３の奥行き方向Ｆ１は、収容棚等として棚装置３を使用する使用者（図示せず）が棚装置３に向かう方向である。この奥行き方向Ｆ１は、棚脚部３１をなす側板３１ａ，３１ｂ同士の対向方向と、棚板３０に直交する方向との双方に対して垂直である。棚装置３の幅方向Ｆ２は、側板３１ａ，３１ｂ同士の対向方向に対して平行な方向であり、且つ、棚板３０に直交する方向に対して垂直な方向である。棚装置３の起立方向Ｆ３は、床面に起立した状態の棚装置３の上下方向であり、上述した奥行き方向Ｆ１および幅方向Ｆ２に対して垂直である。これらの奥行き方向Ｆ１、幅方向Ｆ２、および起立方向Ｆ３は、棚装置３を構成する棚板３０等の各構成部についても同様である。
【００４８】
上述した天板付き家具２および棚装置３を組み合わせて構成される組み合わせ家具１の奥行き方向、幅方向、および起立方向は、図１〜４に示すように、棚装置３の奥行き方向Ｆ１、幅方向Ｆ２、および起立方向Ｆ３と各々同じである。また、図１〜４に示すように天板付き家具２が棚装置３に対して出没可能に取り付けられた状態において、天板付き家具２の奥行き方向Ｆ１１、幅方向Ｆ１２、および起立方向Ｆ１３は、棚装置３の奥行き方向Ｆ１、幅方向Ｆ２、および起立方向Ｆ３と各々同じである。例えば、図４に示す棚装置３内からの天板付き家具２の出没方向は、棚装置３の奥行き方向Ｆ１と同じである。すなわち、この天板付き家具２の出没方向は、組み合わせ家具１の奥行き方向と同じであり、棚装置３に対して出没可能に取り付けられた天板付き家具２の奥行き方向Ｆ１１と同じである。
【００４９】
（天板付き家具の落下防止壁）
つぎに、図５等に示すように天板付き家具２に設けられる落下防止壁１２について詳細に説明する。図７は、天板付き家具に落下防止壁が設けられた状態を示す図である。図８は、天板付き家具に落下防止壁を取り付ける状態を示す図である。図９は、天板付き家具の天板および棚装置の棚板に対する落下防止壁の高さの比較を示す図である。
【００５０】
本実施の形態における天板付き家具２において、天板脚部１１は、棚装置３の棚板３０の下方に形成される収容空間３５の上端に比べて低い位置に、天板１０と落下防止壁１２とを支持する。具体的には、図７〜９に示すように、天板脚部１１は、天板付き家具２を床面に自立可能にする一対の脚板１１ａ，１１ｂからなる。一対の脚板１１ａ，１１ｂは、天板付き家具２の起立方向Ｆ１３の下方側から、天板１０の幅方向Ｆ１２の両端部を支持する。また、一対の脚板１１ａ，１１ｂは、天板付き家具２の起立方向Ｆ１３の下方側から、落下防止壁１２の幅方向Ｆ１２の両端部を支持する。
【００５１】
落下防止壁１２は、図７，８に示すように、天板上面１０ａよりも上方側に延在する壁上部１２ａと、天板１０に比べて下方側に延在する壁下部１２ｂとを一体的に有する板状部材である。落下防止壁１２において、壁上部１２ａは、壁下部１２ｂの上方側に連続し、天板１０の幅方向Ｆ１２の全域に亘り、壁下部１２ｂに比べて幅広に形成される。すなわち、図８に示すように、壁上部１２ａの幅Ｗ１は、壁下部１２ｂの幅Ｗ２よりも大きい。また、壁上部１２ａの幅Ｗ１は、一対の脚板１１ａ，１１ｂの離間距離Ｗ４よりも大きく、且つ、天板１０の幅Ｗ３以上（望ましくは幅Ｗ３と同等）である。一方、壁下部１２ｂの幅Ｗ２は、一対の脚板１１ａ，１１ｂの離間距離Ｗ４と殆ど同等または若干小さい。
【００５２】
上述した壁上部１２ａおよび壁下部１２ｂからなる落下防止壁１２は、図７，８に示すように、天板１０の奥行き方向Ｆ１１の奥端部１０ｄに接するように配置され、天板脚部１１に固定される。具体的には、落下防止壁１２は、一対の脚板１１ａ，１１ｂ同士の対向面間に壁下部１２ｂを嵌合し且つ壁上部１２ａが一対の脚板１１ａ，１１ｂの各上面（図８に示す脚板上面１１ｃ，１１ｄ）に接した状態にして、一対の脚板１１ａ，１１ｂに取り付けられる。
【００５３】
このように一対の脚板１１ａ，１１ｂに固定された落下防止壁１２は、図９に示すように、天板１０のうちの非使用部分１０ｃの位置から、天板上面１０ａに比べて高く且つ棚装置３における収容空間３５の上端に比べて低い位置まで延在する。本実施の形態において、天板１０の非使用部分１０ｃは、天板上面１０ａのうちの棚装置３における収容空間３５内に位置する天板部分である。また、天板１０の使用部分１０ｂは、天板上面１０ａのうちの収容空間３５外に位置する（露出する）天板部分である。落下防止壁１２の壁上部１２ａは、天板１０の奥端部１０ｄ（図８参照）、すなわち、天板１０の奥行き方向Ｆ１１における非使用部分１０ｃの奥端部に接するように配置されて、天板脚部１１に固定され且つ支持される。このような落下防止壁１２の壁上部１２ａは、図９に示すように、非使用部分１０ｃの位置から、天板上面１０ａに比べて高く且つ収容空間３５の上端に比べて低い位置まで延在する。この壁上部１２ａの延在量（高さ）は、天板上面１０ａに載置される物品の寸法（厚さまたは高さ等）に比べて大きく設定されることが望ましい。上述したような構造を有する落下防止壁１２は、収容空間３５の上端をなす棚板３０の下面と接触することなく、天板１０上に載置の物品が非使用部分１０ｃ側から落下する事態を防止する。
【００５４】
一方、天板付き家具２の天板脚部１１は、上述したように、棚装置３における収容空間３５の上端に比べて低い位置に、天板１０および落下防止壁１２を支持する。この際、天板脚部１１は、図９に示すように、壁下部１２ｂの上方に連続する壁上部１２ａが天板上面１０ａよりも高く且つ収容空間３５の上端よりも低い位置まで延在するように、落下防止壁１２を支持する。このような構造により、天板脚部１１が起立する床面から天板上面１０ａまでの高さＨ１は、この床面から収容空間３５の上端をなす棚板３０の下面までの高さＨ２に比べて低くなる。また、この床面から落下防止壁１２の壁上部１２ａの上端までの高さＨ３は、この床面からの収容空間３５の高さＨ２に比べて低くなる。この結果、天板付き家具２は、天板１０および落下防止壁１２と棚板３０との接触を回避するに十分な間隙を棚装置３との間に形成して、天板上面１０ａおよび落下防止壁１２の上端面（壁上部１２ａの上端面）のいずれも棚板３０に接触させることなく、収容空間３５から出没可能となる。
【００５５】
以上、説明したように、本発明の実施の形態では、天板付き家具を出没可能に収容する棚装置の収容空間の上端に比べて低い位置に、天板付き家具の天板を天板脚部によって支持し、この天板の非使用部分の位置から天板上面に比べて高く且つ収容空間の上端に比べて低い位置まで延在する落下防止壁を天板付き家具に設け、この落下防止壁によって、天板上面に載置の物品が天板の非使用部分側から落下する事態を防止している。
【００５６】
このため、収容空間の上端をなす板面（以下、収容空間上端の板面という）に比べて低く、且つ、天板上の物品の移動方向である天板上面の面方向に直交して天板の上方に延在する壁を、落下防止壁として天板の非使用部分に設けることができる。これにより、天板上の物品が天板上面に沿って移動して天板の奥行き方向奥側から落下する事態を防止できるとともに、天板上面と収容空間上端の板面との間、並びに、同板面と落下防止壁の上端との間に、収容空間上端の板面と天板上面および落下防止壁との接触を回避するに十分な間隙を確保することができる。この結果、棚装置に対して出没する天板付き家具の天板と棚装置とを擦り合わせることなく、天板の奥側（非使用部分側）からの物品落下を防止することができる。
【００５７】
本発明にかかる組み合わせ家具を用いることにより、天板上面または落下防止壁と棚装置内の板面との摩擦音によって使用者に不快感を与える事態と、天板上面および棚装置内の板面の各々を摩擦によって傷つける事態とをともに防止しながら、天板上面に載置の物品が天板の非使用部分側から落下する事態を防止することができる。
【００５８】
また、本発明の実施の形態では、天板の非使用部分の奥行き方向奥端部に落下防止壁を配置して、この落下防止壁を天板脚部に固定している。このため、天板に落下防止壁を取り付けるための螺子止め用の孔を天板上面に設ける必要がなくなり、この結果、上述した物品落下の防止効果を奏するとともに、天板上面の外観体裁が損なわれることを防止し、さらには、天板の使用部分の面積を可能な限り広くして、天板付き家具を効率よく使用することができる。
【００５９】
さらに、本発明の実施の形態では、天板脚部をなす一対の脚板同士の対向面間に、落下防止壁の壁下部を嵌合している。このため、一対の脚板によって落下防止壁の幅方向の位置決めを行ったうえで、これら一対の脚板の間に落下防止壁を固定することができる。この結果、天板上面に対する落下防止壁の幅方向のずれを可能な限り抑制して、上述した物品落下の防止効果を促進するとともに、落下防止壁をより堅牢に支持することができる。
【００６０】
また、本発明の実施の形態では、上述した壁下部の上方側に連続し、天板上面に比べて高く且つ収容空間の上端に比べて低い位置まで延在する落下防止壁の壁上部を、天板の幅方向の全域に亘って壁下部よりも幅広に形成し、この幅広の壁上部が一対の脚板の上面に接するように構成している。このため、天板の幅方向全域に落下防止壁を設けることができるとともに、一対の脚板によって落下防止壁の上下方向（天板付き家具の起立方向）の位置決めを行ったうえで、これら一対の脚板に落下防止壁を固定することができる。この結果、天板上面からの物品落下の防止に必要な落下防止壁の幅を確保し、且つ、天板上面に対する落下防止壁の上下方向のずれを可能な限り抑制して、上述した物品落下の防止効果を促進するとともに、収容空間上端の板面と落下防止壁との接触を確実に回避した状態にして、落下防止壁をより堅牢に支持することができる。
【００６１】
さらに、本発明の実施の形態では、落下防止壁の壁上部を、天板の非使用部分の奥端部に接するように構成している。このため、天板によって落下防止壁の奥行き方向の位置決めを行ったうえで、一対の脚板に落下防止壁を固定することができる。この結果、天板上面に対する落下防止壁の奥行き方向のずれを可能な限り抑制して、天板上面と落下防止壁面との間に隙間が生じることを防止し、これにより、上述した物品落下の防止効果を促進するとともに、天板上面と落下防止壁面とが互いに直交する連続面をなす状態にして、落下防止壁をより堅牢に支持することができる。
【００６２】
また、本発明の実施の形態では、天板付き家具の棚装置に対する相対的な移動範囲を、落下防止壁が収容空間から出ない範囲に規制する規制手段を設けている。このため、棚装置に対して天板付き家具を出没させる如何なる状態においても、落下防止壁を収容空間内に位置させることができる。これにより、天板上に載置の物品が落下防止壁の上方を乗り越えて落下する事態を防止することができ、この結果、天板上面からの物品の落下をより確実に防止することができる。
【００６３】
なお、上述した実施の形態では、天板１０の非使用部分１０ｃの奥端部１０ｄに落下防止壁１２を接触させて固定していたが、これに限定されず、落下防止壁１２は、天板１０の非使用部分１０ｃの上面から上方に延在するように天板上面１０ａに設けられてもよい。この場合、落下防止壁１２は、天板１０の非使用部分１０ｃの上面に螺子止め等によって固定されるものであってもよいし、天板１０の非使用部分１０ｃに一体的に形成されて非使用部分１０ｃの上面から上方に延在（突起）する凸状の壁であってもよい。
【００６４】
また、上述した実施の形態では、壁上部１２ａが壁下部１２ｂよりも幅広に形成された落下防止壁１２を天板付き家具２に設けていたが、これに限定されず、落下防止壁１２の壁上部１２ａは、壁下部１２ｂと同じ幅を有するものであってもよいし、壁下部１２ｂよりも狭い幅を有するものであってもよい。
【００６５】
さらに、上述した実施の形態では、棚装置３の棚板３０上に、単一の物品収容部３８ａと、２つの開放型物品収容部３８ｂ，３８ｃとを形成していたが、本発明は、これに限定されるものではない。棚板３０上には、遮蔽部材４０によって開閉可能に遮蔽される開閉型の物品収容部と、通常時に開放されている開放型物品収容部とが、各々１つずつ（合計２つ）形成されていてもよいし、各々複数ずつ（合計４つ以上）形成されていてもよい。あるいは、棚板３０上に、開閉型の物品収容部が１つ形成され、開放型物品収容部が複数形成され、この結果、開閉型の物品収容部および開放型物品収容部が、合計３つ以上形成されてもよい。
【００６６】
また、上述した実施の形態では、棚装置３の棚板３０上に、開閉型の物品収容部３８ａおよび開放型物品収容部３８ｂ，３８ｃの２種類の収容棚が形成していたが、本発明は、これに限定されるものではない。棚板３０上には、開閉型の物品収容部または開放型物品収容部のいずれか１種類のみが、１つまたは複数、形成されてもよい。
【００６７】
さらに、上述した実施の形態では、棚板３０上の中央部分に開閉型の物品収容部３８ａが形成され、この物品収容部３８ａを挟んで棚装置３の幅方向Ｆ２の両側に開放型物品収容部３８ｂ，３８ｃが形成されていたが、本発明は、これに限定されるものではない。物品収容部３８ａは、棚板３０上の中央よりも幅方向右側（例えば右側端）に形成されてもよいし、棚板３０上の中央よりも幅方向左側（例えば左側端）に形成されてもよい。この場合、開放型物品収容部３８ｂ，３８ｃは、物品収容部３８ａを幅方向に挟むように形成されていなくてもよく、例えば、物品収容部３８ａよりも幅方向の右側または左側に並ぶように形成されてもよい。
【００６８】
また、上述した実施の形態では、棚装置３の幅方向Ｆ２にスライドする遮蔽部材４０によって物品収容部３８ａを開閉可能に遮蔽していたが、本発明は、これに限定されるものではない。本発明における遮蔽部材は、ヒンジ等を用いて上下または左右等の所定の方向に回動するように構成され、回動することによって物品収容部３８ａを開閉可能に遮蔽するものであってもよい。この場合、棚装置３の上端には、棚板３０の上方を覆って棚装置３の天井をなす板状部材が設けられてもよい。
【００６９】
さらに、上述した実施の形態では、左側端の開放型物品収容部３８ｃに照明装置５０を設けていたが、これに限定されず、右側端の開放型物品収容部３８ｂに照明装置５０を設けてもよい。あるいは、開放型物品収容部３８ｂ，３８ｃのいずれか一方または双方に、時計や送風機等、照明装置５０以外の機能装置を設けてもよい。すなわち、本発明において、棚装置３の棚板３０上等に設けられる機能装置は、特に照明装置５０に限定されず、所定の機能（例えば組み合わせ家具１を使用する使用者の用途に有用な機能）を有するものであればよい。また、棚装置３の棚板３０上等に設けられる機能装置の数は、１つであってもよいし、複数であってもよい。
【００７０】
また、上述した実施の形態では、棚装置３の開放型物品収容部３８ｃに、機能装置の一例として照明装置５０が設けられていたが、これに限定されず、棚装置３の開放型物品収容部３８ｂ，３８ｃには、照明装置５０等の機能装置を設けなくてもよい。この場合、開放型物品収容部３８ｂ，３８ｃは、これらの各全域を物品の収容棚として使用されてもよい。
【００７１】
さらに、上述した実施の形態では、棚装置３内からの天板付き家具２の出没の移動方向および移動範囲を規制するガイド部１３，１４およびガイドレール３６，３７のうち、ガイド部１３，１４は天板付き家具２の天板脚部１１に着脱可能に設け、ガイドレール３６，３７は棚装置３の棚脚部３１に設けていたが、本発明は、これに限定されるものではない。本発明において、ガイド部１３，１４は、棚装置３の棚脚部３１をなす側板３１ａ，３１ｂに各々着脱可能に設け、ガイドレール３６，３７は、天板付き家具２の天板脚部１１をなす脚板１１ａ，１１ｂに各々設けてもよい。
【００７２】
また、上述した実施の形態では、ガイドレール３６，３７を、凹状に形成された溝としていたが、本発明は、これに限定されるものではない。本発明において、ガイドレール３６，３７は、横断面がコの字状であり、長手方向の両端部に抜け止め面を有する細長のレール部材を用いて構成されてもよい。
【００７３】
さらに、上述した実施の形態では、ガイドレール３６，３７に摺動可能に係合するガイド突起を有するようにガイド部１３，１４を構成していたが、本発明は、これに限定されるものではない。本発明において、ガイド部１３，１４は、回転自在に車輪を軸支する突起部を有し、ガイドレール３６，３７内に突起部の車輪を入れ、ガイドレール３６，３７に沿って天板付き家具２の出没方向に移動（スライド）するものであってもよい。
【００７４】
一方、上述した実施の形態では、棚装置３の物品収容部３８ａを開閉可能に遮蔽する遮蔽部材４０に書見台４６としての機能をもたせていたが、これに限定されず、本発明における書見台４６は、上述した遮蔽部材４０と別体であってもよい。すなわち、本発明において、棚装置３は、棚板３０上に、互いに別体に構成される遮蔽部材４０と書見台４６とを備えてもよい。この場合、物品支持部４２は、遮蔽部材４０に設けず、別体である書見台４６の物品受け部の下側部分に設けられてもよい。また、書見台４６は、遮蔽部材４０と同様に前側スライドガイド部４７によって棚装置３の幅方向Ｆ２にスライド可能に支持されてもよい。あるいは、前側スライドガイド部４７と同様の構成を有するスライドガイド部を棚板３０における奥行き方向Ｆ１の手前側の部分に別に設け、書見台４６は、この別のスライドガイド部によって、棚装置３の幅方向Ｆ２にスライド可能に支持されてもよい。
【００７５】
また、書見台４６は、遮蔽部材４０と別体である場合、棚装置３の棚板３０に対して着脱可能に取り付けできるように構成され、棚板３０の上面における奥行き方向手前側部分のうちの所望の位置に移動可能に取り付けられてもよい。あるいは、書見台４６は、ヒンジ等を用いて上下または左右等の所定の方向に回動するように構成され、回動することによって、棚装置３における所定の位置、例えば遮蔽部材４０の上端面に折りたためるように構成されてもよい。
【００７６】
また、上述した実施の形態により本発明が限定されるものではなく、上述した各構成要素を適宜組み合わせて構成したものも本発明に含まれる。例えば、上述した実施の形態にかかる組み合わせ家具１を構成する天板付き家具２および棚装置３は、木製、金属製、または樹脂製のいずれのものであってもよいし、これらの素材を適宜組み合わせたものであってもよい。その他、上述した実施の形態に基づいて当業者等によりなされる他の実施の形態、実施例および運用技術等は全て本発明に含まれる。
【符号の説明】
【００７７】
１  組み合わせ家具
２  天板付き家具
３  棚装置
１０  天板
１０ａ  天板上面
１０ｂ  使用部分
１０ｃ  非使用部分
１０ｄ  奥端部
１１  天板脚部
１１ａ，１１ｂ  脚板
１１ｃ，１１ｄ  脚板上面
１２  落下防止壁
１２ａ  壁上部
１２ｂ  壁下部
１３，１４  ガイド部
１５ａ，１５ｂ  切欠き部
１６  引き出し
１７  車輪
１８  滑り止め部
３０  棚板
３１  棚脚部
３１ａ，３１ｂ  側板
３２，３３  後面板
３４  支柱
３５  収容空間
３６，３７  ガイドレール
３８ａ  物品収容部
３８ｂ，３８ｃ  開放型物品収容部
３９ａ〜３９ｄ  仕切部材
４０  遮蔽部材
４２  物品支持部
４６  書見台
４７  前側スライドガイド部
４８  後側スライドガイド部
５０  照明装置
Ｆ１，Ｆ１１  奥行き方向
Ｆ２，Ｆ１２  幅方向
Ｆ３，Ｆ１３  起立方向
【図１】
0006514447.tif 000002
【図２】
0006514447.tif 000003
【図３】
0006514447.tif 000004
【図４】
0006514447.tif 000005
【図５】
0006514447.tif 000006
【図６】
0006514447.tif 000007
【図７】
0006514447.tif 000008
【図８】
0006514447.tif 000009
【図９】
0006514447.tif 000010